(57)【要約】  【課題】熱電変換デバイスを用いた冷温蔵庫の熱交換能力を向上させることを目的とする。  【解決手段】内部に貯蔵空間８を有する箱体７と、少なくとも箱体７の一面に、二つの伝熱面１ａ、１ｂを持ち一方を吸熱面として、また他方が発熱面として働く熱電変換デバイス１を設け、前記伝熱面１ａの一方に熱的に接続され、前記貯蔵空間８内に設けた第１の熱交換器２と、前記伝熱面１ｂの他方に熱的に接続された第２の熱交換器３と、温度を調節する空調機１１を備え、第２の熱交換器３に空調機１１から吹き出された気流を流入する空調機吹出風路４と、第２の熱交換器３から気流を外部へ排出する排出風路６を設けたものであり、夏場には冷却された気流が空調機吹出風路４から流入し、流入した気流で第２の熱交換器３を冷却するので熱交換能力を向上し、熱電変換デバイス１の冷却能力を向上させることができる。【選択図】図１
2006145154.tif 000002
【特許請求の範囲】
【請求項１】
内部に貯蔵空間を有する箱体と、少なくとも前記箱体の一面に、二つの伝熱面を持ち一方を吸熱面としてまた他方が発熱面として働く熱電変換デバイスを設け、前記伝熱面の一方と熱的に接続され、かつ前記貯蔵空間内に設けた第１の熱交換器と、前記伝熱面の他方と熱的に接続された第２の熱交換器と、前記第２の熱交換器に温度調節された気流を与える流入風路と、前記第２の熱交換器を通過した気流を外気へ排出する排出風路を設けた冷温蔵庫。
【請求項２】
前記流入風路または前記排出風路の少なくとも一方に、強制気流を発生させる送風手段を設けた請求項１に記載の冷温蔵庫。
【請求項３】
前記流入風路に、外気を導入する外気流入風路を合流させ、前記外気流入風路内に送風手段を設けた請求項１または請求項２に記載の冷温蔵庫。
【請求項４】
前記流入風路に、外気を導入する外気流入風路を合流させ、前記合流部の風下位置に送風手段を設けた請求項１または請求項２に記載の冷温蔵庫。
【請求項５】
前記流入風路からの気流の流量を調整する流量調整手段を備えた請求項１から４のいずれか一項に記載の冷温蔵庫。
【請求項６】
前記流入風路および前記排出風路において気流の流れる方向が変更されるコーナー部を曲面とした請求項１から５のいずれか一項に記載の冷温蔵庫。
【請求項７】
前記流入風路における風路壁面に真空断熱部材を用いた請求項１から６のいずれか一項に記載の冷温蔵庫。
【請求項８】
前記流入風路と前記排出風路を並列に備え、並列に備えた風路の壁面間に断熱部材を用いた請求項１から７のいずれか一項に記載の冷温蔵庫。
【請求項９】
前記第１の熱交換器の内部に流体を封入した請求項１から８のいずれか一項に記載の冷温蔵庫。
【請求項１０】
前記第１の熱交換器内部の前記流体をヒートパイプによって封入した請求項９に記載の冷温蔵庫。
【請求項１１】
前記第２の熱交換器の内部に流体を封入した請求項１から１０のいずれか一項に記載の冷温蔵庫。
【請求項１２】
前記第２の熱交換器内部の前記流体をヒートパイプによって封入した請求項１１に記載の冷温蔵庫。
【発明の詳細な説明】
【技術分野】
【０００１】
本発明は、飲食物や薬品等の物品を収納する冷温蔵庫に関するもので、特に車両やパーソナル空間等の空調設備を備えた居住空間での使用に適した冷温蔵庫に関するものである。
【背景技術】
【０００２】
従来、この種の冷温蔵庫としては、熱伝導性に優れた材料で構成された庫内容器を、熱電変換素子で冷却または加熱するものが一般的である（例えば、特許文献１参照）。
【０００３】
図９は、特許文献１に記載された冷温蔵庫の断面図である。図９に示すように、従来の冷温蔵庫は、開口部を有した本体ケース１０１と、該本体ケース１０１の内部に配設され開口部を備えた熱伝導容器１０２と、前記本体ケース１０１と熱伝導容器１０２の間に充填された断熱材１０３と、前記本体ケース１０１の開口部を開閉し、内部に断熱材１０３を充填した蓋部材１０４と、２つの伝熱面１０５ａ、１０５ｂを持つ熱電変換デバイス１０５と、熱交換器１０６とからなり、前記熱伝導容器１０２を冷却または加熱する熱交換器１０６に気流を送風するファン１０８と、弾性部材１０９を介して蓋部材１０４に設けられた熱伝導容器１０２に熱的に結合し得る熱伝導部材１１０とから構成されている。
【０００４】
前記内部空間を冷却・冷蔵する場合は、まず、熱電変換デバイス１０５に通電することにより、熱電変換デバイス１０５の伝熱面１０５ａが冷却され、熱伝導容器１０２を冷却し、内部空間を冷却する。
【０００５】
一方、熱電変換デバイス１０５の他方の伝熱面１０５ｂは発熱し、熱交換器１０６に熱が伝わり、送風ファン１０８により強制的に放熱される。これによって、前記熱伝導容器１０２の内部空間を効率良く冷却することができる。
【０００６】
逆に内部空間を加温・保温する場合は、まず、熱電変換デバイス１０５に逆に通電することにより、熱電変換デバイス１０５の伝熱面１０５ａが加熱され、熱伝導容器１０２に熱が伝わり、内部空間が加温する。
【０００７】
一方、熱電変換デバイス１０５の他方の伝熱面１０５ｂは吸熱し、熱交換器１０６を通して、送風ファン１０８により送風された空気から熱を奪う。これによって、熱伝導容器１０２の内部空間を効率良く加温することができる。
【特許文献１】特開平８−１００９７５号公報
【発明の開示】
【発明が解決しようとする課題】
【０００８】
しかしながら、上記従来の構成では、夏場に冷却・冷蔵する場合、周囲の空気温度は高く、送風ファン１０８で熱交換器１０６に強制的に送風しても、熱電変換デバイス１０５からの発熱を十分に取り去ることができず、熱電変換デバイス１０５の冷却能力が低下するという欠点があった。
【０００９】
逆に、夏場に加温・保温する場合、周囲空気温度は低く、送風ファン１０８で熱交換器１０６に強制的に送風しても、熱電変換デバイス１０５は十分に吸熱することができず、熱電変換デバイス１０５の加温能力が低下するという欠点があった。
【００１０】
本発明は、上記従来の課題を解決するもので、熱電変換デバイスの熱交換能力の向上を目的とするものである。
【課題を解決するための手段】
【００１１】
上記従来の課題を解決するために、本発明の冷温蔵庫は、内部に貯蔵空間を有する箱体と、少なくとも箱体の一面に、二つの伝熱面を持ち一方を吸熱面としてまた他方を発熱面として作用する熱電変換デバイスを設け、前記伝熱面の一方に熱的に接続され、貯蔵空間内に設けた第１の熱交換器と、前記伝熱面の他方に熱的に接続された第２の熱交換器と、温度を調節された気流を流入する流入風路と、前記第２の熱交換器からの気流を外気へ排出する排出風路を設けたものである。
【００１２】
これによって、夏場に前記貯蔵空間内を冷却・冷蔵する場合には、例えば空気調和機等により温度調節（冷却）された気流を、前記流入風路を通して前記第２の熱交換器に流入させることで、前記熱電変換デバイスの発熱を、前記第２の熱交換器で十分取り去ることができ、前記熱電変換デバイスの冷却能力を向上することができる。
【００１３】
一方、冬場に貯蔵空間内を加温・保温する場合は、前記空気調和機等により温度調節（加温）された気流を、前記流入風路から流入することで、前記熱電変換デバイスは十分な吸熱を行うことができ、前記熱電変換デバイスの加温能力を向上することができる。
【００１４】
また、本発明は、前記流入風路あるいは排出風路の少なくとも一方に送風手段を設けたものである。
【００１５】
これによって、前記第２の熱交換器に流入する風量を大きくすることができ、前記第２の熱交換器の熱交換能力をさらに向上することができる。
【００１６】
また、本発明は、前記流入風路から流れる気流を調整することができる開閉ダンパーを備えたものである。
【００１７】
これによって、前記貯蔵空間を冷却・冷蔵する時に、前記流入空気が加温された暖気である場合は、前記開閉ダンパーを閉じることで前記暖気を封鎖し、前記第２の熱交換器における熱交換能力の低下を防ぐことができるため、熱電変換デバイスの冷却能力を向上させることができる。
【００１８】
逆に前記貯蔵空間を加温・保温する時に、前記流入空気が冷却された冷気である場合は、前記開閉ダンパーを閉じることで前記冷気を封鎖し、前記第２の熱交換器における熱交換能力の低下を防ぐことができるため、熱電変換デバイスの冷却能力を向上させることができる。
【発明の効果】
【００１９】
本発明は、例えば季節に応じて外気温度よりも高い気流、または低い気流を第２の熱交換器に流入させることにより、前記第２の熱交換器と流入空気との温度差を大きくして該第２の熱交換器の熱交換能力を向上させることができる。これにより、貯蔵空間内の冷却・加温性能を向上させる冷温蔵庫を提供することができる。
【発明を実施するための最良の形態】
【００２０】
請求項１に記載の発明は、内部に貯蔵空間を有する箱体と、少なくとも前記箱体の一面に、二つの伝熱面を持ち一方を吸熱面としてまた他方が発熱面として働く熱電変換デバイスを設け、前記伝熱面の一方と熱的に接続され、かつ前記貯蔵空間内に設けた第１の熱交換器と、前記伝熱面の他方と熱的に接続された第２の熱交換器と、前記第２の熱交換器に温度調節された気流を与える流入風路と、前記第２の熱交換器を通過した気流を外気へ排出する排出風路を設けたものである。
【００２１】
かかる構成とすることにより、夏場あるいは冬場等の季節に応じて、前記熱電変換デバイスへの送風温度を制御することにより、前記熱電変換デバイスの冷却能力あるいは前記熱電変換デバイスの加温能力を向上することができる。しかも、前記送風の温度は、空気調和機からの気流等を熱源とすることが可能であり、家庭内（居室内）での使用が可能となる。
【００２２】
また、請求項２に記載の発明は、前記前記流入風路または前記排出風路の少なくとも一方に、強制気流を発生させる送風手段を設けたものである。
【００２３】
かかる構成により、前記第２の熱交換器に流入する風量を大きくすることができ、前記第２の熱交換器の熱交換能力を更に向上することができる。
【００２４】
さらに、請求項３に記載の発明は、前記流入風路に、外気を導入する外気流入風路を合流させ、前記外気流入風路内に送風手段を設けたものである。
【００２５】
かかる構成とすることにより、前記流入風路以外から気流を取り入れ、第２の熱交換器の熱交換能力を向上することができるため、熱電変換デバイスの冷却能力を向上させることができる。
【００２６】
また、請求項４に記載の発明は、前記流入風路に、外気を導入する外気流入風路を合流させ、前記合流部の風下位置に送風手段を設けたものである。
【００２７】
かかる構成とすることにより、前記流入風路と外気流入風路の両方から同時に気流を取り入れ、さらに前記流入風路からの温度調節された風量も多く取り入れることができるので、前記第２の熱交換器の熱交換能力を更に向上することができ、熱電変換デバイスの冷却能力を向上させることができる。
【００２８】
さらに、請求項５に記載の発明は、前記流入風路からの気流の流量を調整する流量調整手段を備えたもので、かかる構成により、前記貯蔵空間を冷却・冷蔵する時に、前記温度調節された気流が、暖気あるいは空気調和機により暖房運転された空調機流の場合は、前記開閉ダンパーを閉じることにより、前記暖気の流入を阻止し、前記第２の熱交換器における熱交換能力の低下を防ぐことができるため、前記熱電変換デバイスの冷却能力を向上させることができる。
【００２９】
また、前記貯蔵空間を加温・保温する時に、前記温度調節された気流が、冷気あるいは空気調和機により冷房運転された空調機流の場合は、前記開閉ダンパーを閉じることにより、前記冷気の流入を阻止し、前記第２の熱交換器における熱交換能力の低下を防ぐことができるため、前記熱電変換デバイスの冷却能力を向上させることができる。
【００３０】
また、請求項６に記載の発明は、前記流入風路および前記排出風路において気流の流れる方向が変更されるコーナー部を曲面としたものである。
【００３１】
かかる構成とすることにより、前記気流が流れやすくなり、風路抵抗を少なくして風量の低下が抑制でき、その結果、前記第２の熱交換器の熱交換能力を一層向上することができる。
【００３２】
さらに、請求項７に記載の発明は、前記流入風路における風路壁面に真空断熱部材を用いたもので、かかる構成により、外気から風路への侵入熱量もしくは風路から外気への放熱量を減らし、流入する気流の温度を低下させることなく第２の熱交換器送り出して前記熱交換能力を向上することができる。
【００３３】
また、請求項８に記載の発明は、前記流入風路と前記排出風路を並列に備え、並列に備えた風路の壁面間に断熱部材を用いたものである。
【００３４】
かかる構成とすることにより、前記貯蔵空間を冷却・冷蔵する時に、前記温度調節された気流が前記流入風路から流入して前記第２の熱交換器と熱交換を行い、暖められて前記排出風路へと流出していくので、前記排出風路側の壁面から前記流入風路側の壁面を伝わって侵入する侵入熱量を減らすことができ、前記第２の熱交換器の熱交換能力をさらに向上することができる。
【００３５】
また、請求項９に記載の発明は、前記第１の熱交換器の内部に流体を封入したもので、前記流体の対流によって前記第１の熱交換器における熱伝導を促進し、前記第１の熱交換器の熱交換能力を一層向上することができる。
【００３６】
さらに、請求項１０に記載の発明は、前記第１の熱交換器内部の前記流体をヒートパイプによって封入したもので、前記流体の封入を容易にすることができる。
【００３７】
さらに、請求項１１に記載の発明は、前記第２の熱交換器の内部に流体を封入したもので、前記流体の対流によって第２の熱交換器における熱伝導を促進し、前記第２の熱交換器の熱交換能力を一層向上することができる。
【００３８】
また、請求項１２に記載の発明は、前記第２の熱交換器内部の前記流体をヒートパイプによって封入したもので、前記流体の封入を容易にすることができる。
【００３９】
（実施の形態１）
図１は、本発明の実施の形態１における冷温蔵庫の断面図を示すものである。
【００４０】
図１において、熱電変換デバイス１は、相対する位置関係で二つの伝熱面１ａと１ｂを持ち、一方が吸熱面としてまた他方が発熱面として作用する。前記熱電変換デバイス１の具体例としては、ペルチェ効果素子、トンネル効果素子、スターリング冷凍機などが考えられる。
【００４１】
箱体７は、内部に貯蔵空間８を持ち、上部には貯蔵空間８に物品を出し入れする開閉扉１０が設けられている。また、前記箱体７と開閉蓋１０は、枠体９と該枠体９の内部に挿入された断熱部材５ａとから構成される。熱電変換デバイス１は、前記箱体７の一面に設けられている。第１の熱交換器２は、前記伝熱面１ａと熱的に接続され、貯蔵空間８内に配置されている。第２の熱交換器３は、前記伝熱面１ｂと熱的に接続され、前記貯蔵空間８外に設けられている。
【００４２】
空調機１１は、周知の構成からなるもので、吹出し風の温度を調節する機構を備えている。前記空調機１１の具体例としてはルームエアーコンディショナー等が相当し、後述する熱電変換デバイス７側へ導入する気流は、その吹出し気流を直接あるいは間接的に導入してその温度を利用するものである。本発明の流入風路に相当する空調機吹出風路４は、前記第２の熱交換器３側に前記空調機１１から吹き出された気流を流入し、排出風路６は、該導入した気流が第２の熱交換器３と熱交換を行った後に外気へ排出する。
【００４３】
ヒートパイプ１２ａは、第１の熱交換器２の内部に挿入されて、伝熱面１ａの近傍まで伸びている。ヒートパイプ１２ｂは、第２の熱交換器３の内部に挿入されて、伝熱面１ｂの近傍まで伸びている。
【００４４】
以上のように構成された冷温蔵庫について、以下、貯蔵空間８内を冷却する場合を例にとり、その動作、作用を説明する。
【００４５】
熱電変換デバイス１に電流を流すことにより、該熱電変換デバイス１は、ペルチェ作用を伴う。そのペルチェ効果によって伝熱面１ａは、第１の熱交換器２やヒートパイプ１２ａを経て吸熱面として働く。また、同様に伝熱面１ｂは、第２の熱交換器３やヒートパイプ１２ｂを経て発熱面として働く。前記伝熱面１ｂと前記第２の熱交換器３は、熱的に接続されており、予め空調機１１によって冷やされた気流が前記第２の熱交換器３に流入し、熱交換を行う。
【００４６】
ここで、従来は、周囲の空気との熱交換であるのに対して、本実施の形態１では、予め空調機１１によって冷やされた気流と第２の熱交換器３とが熱交換する。
【００４７】
以上のように、本実施の形態においては、内部に貯蔵空間８を有する箱体７と、少なくとも箱体７の一面に、二つの伝熱面１ａ，１ｂを持ち、一方を吸熱面として、また他方が発熱面として働く熱電変換デバイス１を設け、その伝熱面１ａの一方に熱的に接続され、貯蔵空間８内に設けた第１の熱交換器２と、伝熱面１ｂの他方に熱的に接続された第２の熱交換器３と、温度を調節する空調機１１を備え、第２の熱交換器３に空調機１１から吹き出された気流を流入する空調機吹出風路４と、第２の熱交換器３から気流を外気へ排出する排出風路６を設けたものであり、夏場に貯蔵空間８内を冷却・冷蔵する場合には、空調機１１の冷房作用により冷やされた気流を、前記空調機吹出風路４を通して第２の熱交換器３に流入させることで、熱電変換デバイス１の発熱を、前記第２の熱交換器３で十分取り去ることができ、熱電変換デバイス１の冷却能力を向上することができる。
【００４８】
逆に、冬場に貯蔵空間内を加温・保温する場合には、空調機１１の暖房作用により暖められた気流が、前記空調機吹出風路４から流入することで、前記熱電変換デバイス１は十分な吸熱を行うことができ、熱電変換デバイス１の加温能力を向上することができる。
【００４９】
また、前記熱変換デバイス１は、前記第１の熱交換器２の内部に流体を封入したものであり、流体の対流によって第１の熱交換器２における熱伝導を促進し、第１の熱交換器２の熱交換能力を更に向上することができる。
【００５０】
また、前記熱変換デバイス１は、前記第１の熱交換器２の内部に流体をヒートパイプ１２ａによって封入したものであり、流体の封入を容易にすることができる。
【００５１】
また、前記熱変換デバイス１は、第２の熱交換器３の内部に流体を封入したものであり、その流体の対流によって第２の熱交換器３における熱伝導を促進し、第２の熱交換器３の熱交換能力を更に向上することができる。
【００５２】
また、前記熱変換デバイス１は、第２の熱交換器３の内部に流体をヒートパイプ１２ｂによって封入したものであり、流体の封入を容易にすることができる。
【００５３】
（実施の形態２）
図２は、本発明の実施の形態２における冷温蔵庫の断面図を示すものである。
【００５４】
図２において、本実施の形態２は、先の実施の形態１に示す構成において、空調機吹出風路４内に送風ファン１３ａを設けた構成であり、前記送風ファン１３ａは、気流の主流方向へと流れるように風路内に配置されている。前記送風ファン１３ａは、必要に応じて排出風路６内もしくは両方に設けてもかまわない。
【００５５】
以上のように構成された冷温蔵庫について、以下、貯蔵空間８内を冷却する場合を例に、その動作、作用を説明する。
【００５６】
空調機吹出風路４内の送風ファン１３ａを動作させることにより、空調機１１の冷房作用によって冷やされた気流を大量に導入することができ、第２の熱交換器３の熱交換能力を向上させることができる。
【００５７】
以上のように、本実施の形態においては、空調機吹出風路４に送風ファン１３ａを設けたことにより、前記第２の熱交換器３に流入する風量を大きくすることができ、第２の熱交換器３の熱交換能力を更に向上することができる。
【００５８】
なお、上記の場合は、空調機１１の冷房作用による冷気を利用した場合について説明したが、空調機１の暖房作用による暖気を利用した場合についても、先の実施の形態１と同様に作用効果が得られるものである。
【００５９】
（実施の形態３）
図３は、本発明の実施の形態３における冷温蔵庫の断面図を示すものである。
【００６０】
図３において、本実施の形態３の構成は、先の実施の形態１における空調機吹出風路４に、内部に送風ファン１３ｂを備えた外気流入風路１４を連結したものである。
【００６１】
以上のように構成された冷温蔵庫について、以下、貯蔵空間８内を冷却する場合を例に、その動作、作用を説明する。
【００６２】
予め空調機１１の冷房作用によって冷やされた気流が前記空調機吹出風路４から流入すると共に、前記外気流入風路１４内の送風ファン１３ｂによって外部から気流が導入される。これらの流入した気流を１つの風路に連結して、第２の熱交換器３へ流れるように気流を送り、第２の熱交換器３と熱交換器を行い、排出風路６を経由して外気へ排出する。
【００６３】
以上のように、本実施の形態においては、外気を導入する外気流入風路１４と、内部に送風ファン１３ｂを備えた外気流入風路１４を連結したもので、空調機吹出風路４以外から気流を取り入れ、第２の熱交換器３の熱交換能力を向上することができるため、熱電変換デバイス１の冷却能力を向上させることができる。
【００６４】
なお、上記の場合は、空調機１１の冷房作用による冷気を利用した場合について説明したが、空調機１の暖房作用による暖気を利用した場合についても、先の実施の形態１と同様に作用効果が得られるものである。
【００６５】
（実施の形態４）
図４は、本発明の実施の形態４における冷温蔵庫の断面図を示すものである。
【００６６】
図４において、本実施の形態は、前記空調機吹出風路４と外気流入風路１４の風路を連結した後（風下側）に送風ファン１３ｃを設けている。
【００６７】
以上のように構成された冷温蔵庫について、以下、貯蔵空間８内を冷却する場合を例に、その動作、作用を説明する。
【００６８】
送風ファン１３ｃを動作することにより、外気流入風路１４から気流を流入するとともに、空調機１１の冷房作用によって冷やされた気流を大量に導入することができ、第２の熱交換器３の熱交換能力を向上させることができる。
【００６９】
以上のように、本実施の形態においては、空調機吹出風路４と外気流入風路１４が連結された後に送風ファン１３ｃを設けたもので、前記空調機吹出風路４と外気流入風路１４の両方から同時に気流を取り入れ、更に空調機１１から導入される風量も多く取り入れることができるので、第２の熱交換器３の熱交換能力を更に向上することができ、その結果、前記熱電変換デバイス１の冷却能力を向上させることができる。
【００７０】
なお、上記の場合は、空調機１１の冷房作用による冷気を利用した場合について説明したが、空調機１の暖房作用による暖気を利用した場合についても、先の実施の形態１と同様に作用効果が得られるものである。
【００７１】
（実施の形態５）
図５は、本発明の実施の形態５における冷温蔵庫の断面図を示すものである。本実施の形態５の構成は、先の実施の形態における空調機吹出風路４に、該空調機吹出風路４を流れる気流の流量を調整する開閉ダンパー１５を備えたものである。
【００７２】
図５において、空調機１１が暖房運転を行ったとき、開閉ダンパー１５を閉じて、暖められた気流が空調機吹出風路４から第２の熱交換器３に気流が流入しないようにする。そして、送風ファン１３ｃで外気流入風路１４から気流を導入し、第２の熱交換器３と熱交換を行い、排出風路６を経由して外気へ排出する。
【００７３】
逆に、空調機１１が冷房運転を行ったとき、開閉ダンパー１５を開けて、冷えた気流が空調機吹出風路４から第２の熱交換器３に気流を流入させる。そして、送風ファン１３ｃで外気流入風路１４から気流を導入し、第２の熱交換器３と熱交換を行い、排出風路６を経由して外気へ排出する。
【００７４】
以上のように、本実施の形態においては、記載の冷温蔵庫に空調機吹出風路４から流れる気流を調整することができる開閉ダンパー１５を備えたものであり、貯蔵空間８を冷却・冷蔵する時に、空調機１１が冷房運転した場合は、開閉ダンパー１５を開放することで空調機１１からの冷気を流入し、第２の熱交換器３における熱交換能力の低下を防ぐことができ、熱電変換デバイス１の冷却能力を向上させることができる。
【００７５】
逆に貯蔵空間８を加温・保温する時に、空調機１１が暖房運転した場合は、開閉ダンパー１５を閉じることで空調機１１からの暖気を封鎖し、第２の熱交換器３における熱交換能力の低下を防ぐことができるため、熱電変換デバイス１の冷却能力を向上させることができる。
【００７６】
（実施の形態６）
図６は、本発明の実施の形態６における冷温蔵庫の断面図を示すものである。
【００７７】
本実施の形態６の構成は、先の実施の形態１における空調機吹出風路４および排出路６それぞれにおいて、気流の方向が略９０度変更されるコーナー部に、滑らかな曲面とした丸み部１６を形成したものである。
【００７８】
図６に示すように、前記空調機吹出風路４および排出路６の各所に、主流の方向を曲面に沿って変更するに丸み部１６を持たせたことにより、風路内の抵抗が少なくなり、風量の低下が抑制される。
【００７９】
以上のように、本実施の形態においては、風路内において、主流が流れる方向にコーナーを滑らかにする丸み部１６を設けたものであり、気流が流れやすくなるので、風路抵抗が少なくなり、風量の低下が抑制され第２の熱交換器の熱交換能力を更に向上することができる。
【００８０】
（実施の形態７）
図７は、本発明の実施の形態７における冷温蔵庫の断面図を示すものである。
【００８１】
本実施の形態７の構成は、先の実施の形態１に示す構成において、空調機吹出風路４あるいは排出風路６を構成する壁面に、真空断熱部材１７を設けたものである。
【００８２】
以上のように、空調機吹出風路４や排出風路６の壁面に真空断熱部材１７を設けることにより、外気から風路への侵入熱量もしくは風路から外気への放熱量を抑えることができ、冷却された気流の温度を下げることなく、第２の熱交換器３へ気流を送り出すことができる。
【００８３】
以上のように、本実施の形態においては、流入する風路の外壁に真空断熱部材１７を使用したものであり、外気から風路への侵入熱量もしくは風路から外気への放熱量を減らすことができるので、流入する気流の温度を低下もしくは上昇させることなく第２の熱交換器３に流入させることができ、熱交換能力を向上することができる。
【００８４】
（実施の形態８）
図８は、本発明の実施の形態８における冷温蔵庫の断面図を示すものである。
【００８５】
本実施の形態８の構成は、先の実施の形態１に示す構成において、前記空調吹出風路４と排出風路６とを並列に備えた風路の間の壁面に断熱部材５ｂを設けている。
【００８６】
以上のように、空調機吹出風路４と排出風路６の壁面間に断熱部材５ｂを設けることにより、冷やされた気流が空調機吹出風路４から流入し、気流と第２の熱交換器３が熱交換を行い、暖められた気流が排出風路６から流出する。そして、暖められた気流が排出風路６側の壁面を伝わって空調機吹出風路４へ侵入する侵入熱量を断熱部材５ｂで遮断することにより、空調吹出風路４側に壁面を伝わって侵入する侵入熱量を減らすことができる。
【００８７】
以上のように、本実施の形態においては、空調吹出風路４と排出風路６とを並列に備え、並列に備えた風路の壁面間に断熱部材５ｂを使用したものであり、貯蔵空間を冷却・冷蔵する時に、空調機により冷やされた気流が空調機吹出風路４から流入し、気流と第２の熱交換器３が熱交換を行い、暖められた気流が排出風路６へと流出していくので、排出風路６側の壁面から空調吹出風路４側の壁面を伝わって侵入する侵入熱量を減らすことができ、第２の熱交換器３の熱交換能力を一層向上することができる。
【産業上の利用可能性】
【００８８】
以上のように、本発明にかかる冷温蔵庫は、安定した冷却運転や保温運転が可能となるので、薬品の保管や理化学機器等の用途にも適用できる。
【図面の簡単な説明】
【００８９】
【図１】本発明の実施の形態１における冷温蔵庫の断面図
【図２】本発明の実施の形態２における冷温蔵庫の断面図
【図３】本発明の実施の形態３における冷温蔵庫の断面図
【図４】本発明の実施の形態４における冷温蔵庫の断面図
【図５】本発明の実施の形態５における冷温蔵庫の断面図
【図６】本発明の実施の形態６における冷温蔵庫の断面図
【図７】本発明の実施の形態７における冷温蔵庫の断面図
【図８】本発明の実施の形態８における冷温蔵庫の断面図
【図９】従来例を示す冷温蔵庫の断面図
【符号の説明】
【００９０】
１    熱電変換デバイス
１ａ  伝熱面
１ｂ  伝熱面
２    第１の熱交換器
３    第２の熱交換器
４    空調機吹出風路
５ａ  断熱部材
５ｂ  断熱部材
６    排出風路
７    箱体
８    貯蔵空間
９    枠体
１０  開閉扉
１１  空調機
１２ａ  ヒートパイプ
１２ｂ  ヒートパイプ
１３ａ  送風ファン
１３ｂ  送風ファン
１３ｃ  送風ファン
１４  外気流入風路
１５  開閉ダンパー
１６  丸み部
１７  真空断熱部材
【図１】
2006145154.tif 000003
【図２】
2006145154.tif 000004
【図３】
2006145154.tif 000005
【図４】
2006145154.tif 000006
【図５】
2006145154.tif 000007
【図６】
2006145154.tif 000008
【図７】
2006145154.tif 000009
【図８】
2006145154.tif 000010
【図９】
2006145154.tif 000011